(57)【要約】      （修正有）【課題】ＬＥＤディスプレイパネルにおいて、ＬＥＤの輝度を不変にする。【解決手段】本発明の電流補償功能を有する発光ダイオード駆動回路は、LEDパネルのLEDはマトリクスアレイで、且つ、パネル及び制御スイッチには回路レジスタンスが存在しているので、同一行の多数のLEDが同時にオンの場合、その電流源が、相同の回路レジスタンスを通過する時、レジスタンス上に、何倍もの電圧下降が生じ、よって、LED及び電流源上の電圧が減少し、LEDの電流を減少させ、LEDの輝度を低下し、輝度を不安定にする。本発明は、LED電流源回路を複製し、加算回路により、個別に、対応するLEDの電流減少を補償し、LEDの輝度を不変にする。【選択図】図２
2006261321.tif 000002
【特許請求の範囲】
【請求項１】
電流補償功能を有する発光ダイオード駆動回路であって、
スイッチSEG１、SEG２、・・SEGMにより、それぞれ、M列のLEDに接続され、前記M列のLEDは、縦方向にN行を形成し、スイッチCOM１、COM２、・・COMNを連接して接地する一つの定電流源ＩＳＥＧと、
前記スイッチSEG１、SEG２、・・SEGMを制御するスイッチ制御回路と、
からなり、その特徴は、
もう一つの定電流源ICは、スイッチCOMP１、COMP２、・・COMPMにより、それぞれ、第一加算回路に送入され、前記スイッチ制御回路のM本のラインは、スイッチSEG１、SEG２、・・SEGMのオンとオフと合わせて、同時に、対応するスイッチCOMP１、COMP２、・・COMPMのオンとオフを制御し、
前記第一加算回路の出力電流と前記定電流源ＩＳＥＧは、第二加算回路により相加され、その後、定電流源制御回路により、前記スイッチSEG１、SEG２、・・SEGMの対応するLEDに伝送することを特徴とする電流補償功能を有する発光ダイオード駆動回路。
【請求項２】
前記LEDは一種の有機材料からなる有機発光ダイオードOLEDで、その回路特徴は、一般のLEDと完全に相同であることを特徴とする電流補償功能を有する請求項1に記載の発光ダイオード駆動回路。
【請求項３】
前記第二加算回路は、減算回路により代替することができ、且つ、定電流源ＩＳＥＧが供給する電流は、M個のLEDが満載時の電流で、あるLEDがオフの時、COMP１、COMP２、・・COMPMの対応するスイッチは、オンとなり、電流は、前記減算回路に流れて、定電流源ＩＳＥＧから差し引くことを特徴とする電流補償功能を有する請求項1に記載の発光ダイオード駆動回路。
【発明の詳細な説明】
【技術分野】
【０００１】
本発明は、発光ダイオード（LIGHT  EMITTING  DIODE、LED）パネル駆動回路の改良に関するものであって、特に、LEDの電流の減少を補償し、LED輝度を一定に保持する発光ダイオードに関するものである。
【背景技術】
【０００２】
図１は、一般のLEDディスプレイパネルの駆動回路の簡略図で、図１では、８×３のLEDマトリクスのみが示されている。定電流源ＩＳＥＧは、スイッチSEG１、SEG２、・・SEG８により、それぞれ、八列のLEDに接続し、八列のLEDは縦方向に三行に形成され、各々、レジスタR１、R２、R３（回路のレジスタンスで、実体のレジスタではない）とスイッチCOM１、COM２、COM３を連接して接地する。
【０００３】
スイッチCOM１、SEG１、及び、SEG３がチャネルを形成し、その他のスイッチが断線する時、LED１１、LED３１のみ電流が流れて発光し、その他のLEDは点灯しない。この他も類推する。
【０００４】
LEDを流れる電流が大きいほど、LEDはよく発光する。縦方向の一行中の多数のLEDに電流が流れ、これらの電流がレジスタR１、R２、R３を流れる時、レジスタR１、R２、或いは、R３上に、数倍もの電圧降下が発生し、よって、LED及び電流源上の電圧を降下させる。その結果、電流が減少し、LED輝度が低下し、LEDの輝度が不安定になる。これが、現在の一般のLEDディスプレイパネル駆動回路の欠点である。
【発明の開示】
【発明が解決しようとする課題】
【０００５】
本発明は、電流補償功能を有する発光ダイオード駆動回路を提供し、LED電流源回路を複製し、加算回路を対応するLEDに送入して、個別に、対応するLEDの電流減少を補償し、LEDの輝度を不変にすることを目的とする。
【課題を解決するための手段】
【０００６】
上述の目的を達成するため、本発明の電流補償功能を有する発光ダイオード駆動回路は、LEDパネルのLEDはマトリクスアレイで、且つ、パネル及び制御スイッチには回路レジスタンスが存在しているので、同一行の多数のLEDが同時にオンの場合、その電流源が、相同の回路レジスタンスを通過する時、レジスタンス上に、何倍もの電圧下降が生じ、よって、LED及び電流源上の電圧が減少し、LEDの電流を減少させ、LEDの輝度を低下し、輝度を不安定にする。本発明は、LED電流源回路を複製し、加算回路により、個別に、対応するLEDの電流減少を補償し、LEDの輝度を不変にする。
【発明の効果】
【０００７】
LEDの電流減少を補償し、LEDの輝度を不変にすることが可能である。
【発明を実施するための最良の形態】
【０００８】
図２は、本発明の実施例を示す図で、右側は、図１で示される回路で、左側は、本発明の新設計である。本発明は、図１で示される定電流源ＩＳＥＧを複製し、スイッチSEG１、SEG２、・・SEG８により、それぞれ、八列のLEDの回路に接続するが、その符号は変更され、定電流源ICは、スイッチCOMP１、COMP２、・・COMP８により、それぞれ、加算回路２２中に伝送される。
【０００９】
スイッチSEG１、SEG２、・・SEG８を制御し、定電流源ＩＳＥＧを、それぞれ、八列のLED回路に送入するのは、左上のスイッチ制御回路２１で、外界の制御指令を入力する。入力は、八本のラインにより、それぞれ、スイッチSEG１、SEG２、・・SEG８のオンとオフを制御する。本発明は、同時に、スイッチ制御回路２１の八本のラインも、図で示されるように、それぞれ、スイッチCOMP１、COMP２、・・CONP８に接続され、それらのオンとオフを制御する。定電流源２３は、公知技術で既に存在するものであり、図２の左下に位置する。
【００１０】
例を挙げると、スイッチ制御回路２１の三本の出力ラインは、SEG１、SEG２、・・SEG８中の三個のスイッチをチャネルとし、よって、COMP1、COMP２、・・COMP8中の三個の定電流源ICは、加算回路２２を接続して相加され、加算回路２２の出力電流と定電流源２３は、加算回路２４により相加し、最後に、定電流源制御回路２５により、SEG１、SEG２、・・SEG8の対応する三個の定電流源ＩＳＥＧに送る。
【００１１】
これにより、先のSEG１、SEG２、・・SEG８中の三個のスイッチがチャネルとなり、電流が、レジスタR１、R２、或いは、R３を通過する時、レジスタR１、R２、R３上に、三の倍数の電圧降下が生じ、LED上の電圧降下を減少させ、結果として、電流が減少し、LEDの輝度が低下するが、本発明は、対応するCOMP１、COMP２、・・COMP８中の三個が、三つの定電流源ICが入力され、それぞれ、SEG１、SEG２、・・SEG８中の三個のチャネルの定電流源ＩＳＥＧの電流を補償し、ロジック運算回路を別途に設ける必要がなく、LEDの輝度を不変に維持し、本発明の目的が達成される。定電流源ICの値は、仔細に計算すると共に、実験して設定する必要がある。
【００１２】
本発明は、一般のLEDパネル回路に適用できるだけでなく、有機発光ダイオードパネル回路にも適用できる。有機発光ダイオードは、有機式のLEDで、使用する材料は、一般のLEDと異なるが、回路特徴は、一般のLEDと全く相同である。
【００１３】
本発明の図２中の加算回路２４は、減算回路により代替してもよく、この時、定電流源２３が供給する電流は、八個のLED満載時の電流で、あるLEDがオフの時、COMP１、COMP２、・・COMP８中の対応するスイッチがオンとなり、電流を減算回路に流して、定電流源２３から差し引く。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、特許請求の範囲で指定した内容を基準とする。  
【図面の簡単な説明】
【００１５】
【図１】一般のLEDディスプレイパネルの駆動回路を示す図である。
【図２】本発明の電流補償功能を有するLEDパネルの駆動回路を示す図である。
【符号の説明】
【００１６】
２１…スイッチ制御回路
２２…加算回路
２３…定電流源
２４…加算回路
２５…定電流源制御回路    
【図１】
2006261321.tif 000003
【図２】
2006261321.tif 000004